(57)【要約】  足場用仮設足場板固定装置が開示されている。  開示された足場用仮設足場板固定装置において、一実施例は、鋼管足場（１）に安着される仮設足場板（４）を固定させるための鋼管足場用仮設足場板固定装置であって、前記仮設足場板（４）の上側の端に一部が安着されたまま前記仮設足場板（４）をクランプする足場板クランプ（１１０）と、前記鋼管足場（１）の外周を部分的に囲むようにクランプする円弧状の鋼管足場クランプ（１２０）と、前記足場板クランプ（１１０）と鋼管足場クランプ（１２０）とを連結する連結部材（１３０）とで構成され、前記連結部材（１３０）は、前記足場板クランプ（１１０）と鋼管足場クランプ（１２０）との間に配置され、上部ピン孔（１３１ａ）及び下部ピン孔（１３１ｂ）が形成された連結ブラケット（１３１）と、前記上部ピン孔（１３１ａ）に嵌合され、貫通孔（１３２ａ）が形成された結束ピン（１３２）と、前記足場板クランプ（１１０）を上部から貫通して前記結束ピン（１３２）の貫通孔（１３２ａ）を貫通したまま下部にナット（Ｎ）が締結される締結ボルト（１３３）と、前記足場板クランプ（１１０）と結束ピン（１３２）との間に介在される弾性部材（１３４）と、前記下部ピン孔（１３１ｂ）及び前記鋼管足場クランプ（１２０）の上端を貫通して連結ブラケット（１３１）と鋼管足場クランプ（１２０）とを結合する結合ピン（１３５）とで構成されたことを特徴とする。【選択図】図１
2019508606.tif 000002
【特許請求の範囲】
【請求項１】
鋼管足場（１）に安着される仮設足場板（４）を固定させるために前記仮設足場板（４）の上側の端に一部分が安着される足場板クランプ（１１０）と、前記鋼管足場（１）の外周を部分的に囲むようにクランプする円弧状の鋼管足場クランプ（１２０）と、前記足場板クランプ（１１０）と鋼管足場クランプ（１２０）を連結する連結部材（１３０）とで構成される鋼管足場用仮設足場板固定装置において、
前記足場板クランプ（１１０）と鋼管足場クランプ（１２０）との間に配置される連結部材（１３０）は、上部ピン孔（１３１ａ）及び下部ピン孔（１３１ｂ）が形成された連結ブラケット（１３１）と、前記上部ピン孔（１３１ａ）に嵌合され、貫通孔（１３２ａ）が形成された結束ピン（１３２）と、前記足場板クランプ（１１０）を上部から貫通して前記結束ピン（１３２）の貫通孔（１３２ａ）を貫通したまま下部にナット（Ｎ）が締結される締結ボルト（１３３）と、前記足場板クランプ（１１０）と結束ピン（１３２）との間に介在される弾性部材（１３４）と、前記下部ピン孔（１３１ｂ）を貫通して連結ブラケット（１３１）と鋼管足場クランプ（１２０）とを結束させる結合ピン（１３５）とを含む構成を特徴とする足場用仮設足場板固定装置。
【発明の詳細な説明】
【技術分野】
【０００１】
本発明は足場用仮設足場板固定装置に関し、さらに詳しくは高所作業のために設置された足場に作業空間及び歩行路の確保のために設置される仮設足場板を堅固かつ迅速にクランプ可能とすることにより、作業の安定性と効率性を高めることができる足場用仮設足場板固定装置に関する。
【背景技術】
【０００２】
一般に、建築や建設及び造船など、産業現場で様々な装備と資材を高所へ運搬して作業するための手段として仮設構造物である足場用鋼管を設置した後、その鋼管に支持されるようにパネル形状に製作された作業足場板を据え置く方法が一般化されている。
【０００３】
前記鋼管足場に設置された作業足場は作業の生産性に直接影響を及ぼす構造物であって、性能検定試験に合格した鋼材を素材として様々な規格で製作されており、特に造船分野と高度の高い海洋プラントを製作する時に用いられる作業足場板は、安全基準に対する標準化を通じて安全文化を革新している。
【０００４】
足場を構成している作業足場板は、複数の鋼管に載置された状態で固定設置され、この時、作業足場板を鋼管に固定するために両側部材を針金で縛ったが、作業性に劣る問題点により近年では様々な種類の専用固定器具を用いている傾向である。
【０００５】
従来の韓国登録特許第１０−１０１６２７４号公報は、一対のプレートを突き合せた状態で必要に応じて相互組み立てることができるようにした足場板において、前記プレートの突き合せた部分の空間に結合可能な形状で内部に凹溝部が形成され、底面に結合孔が形成されたブラケットと、前記ブラケットの結合孔を通じてパイプをクランプすることができるクランプの上端にネジ棒を形成した状態で結合した後、上部に貫通孔を形成した円柱形状の固定ピンを横にして結合し、前記固定ピンには偏心孔が形成されたクランプハンドルを結合して作動孔を通じてクランプハンドルを作動することにより、偏心孔によりクランプが囲んでいるパイプを引くようになって、各プレートが堅固に固定されることができるように構成した足場板用固定冶具が提案されている。
【０００６】
しかし、前記従来の技術はパイプを囲むクランプが一つのフック（ｈｏｏｋ）となっているため、クランプハンドルを作動させてパイプを引く場合、フックの接触された部位のみに力が加わることにより、固定力を発揮する部位が制限され、堅固性と安全性に劣るという問題点があった。
【０００７】
特に、クランプハンドルを作動させて、その偏心孔に結合された固定ピンを起点としてパイプを囲んでいるクランプを上方へ引くことになると、一つのフック構造となっているクランプに偏心応力が加わることにより、応力が集中する部位が弱くなってクランプに変形や損傷が頻繁に発生し、耐久性が失われることはもちろん、鋼管からクランプが離脱されて安全性が欠如するという問題点もあった。
【先行技術文献】
【特許文献】
【０００８】
【特許文献１】韓国登録特許第１０−１０１６２７４号公報
【発明の概要】
【発明が解決しようとする課題】
【０００９】
本発明は、前記のような従来の鋼管足場に足場板を固定するための装置の問題点に鑑みて発明したものであって、その目的は、高所作業のために設置された鋼管素材の足場に作業空間及び歩行路を確保するための足場板を設置する足場板の固定作業を堅固かつ迅速に行うことができる足場用仮設足場板固定装置を提供することにある。
【００１０】
本発明が解決しようとする課題は前述の課題に制限されず、言及されないまた他の課題は以下の記載により本発明が属する技術分野において通常の知識を有する者にとって明確に理解されるべきである。
【課題を解決するための手段】
【００１１】
前述した本発明の目的によって、鋼管足場の上部に安着される仮設足場板を固定させるための鋼管足場用仮設足場板固定装置であって、前記仮設足場板の上側の端に一部が安着されたまま前記仮設足場板をクランプする足場板クランプと、前記鋼管足場の外周を部分的に囲むようにクランプする円弧状の鋼管足場クランプと、前記足場板クランプと鋼管足場クランプとを連結する連結部材とで構成され、前記連結部材は、前記足場板クランプと鋼管足場クランプとの間に配置され、上部ピン孔及び下部ピン孔が形成された連結ブラケットと、前記上部ピン孔に嵌合され、貫通孔が形成された結束ピンと、前記足場板クランプを上部から貫通して前記結束ピンの貫通孔にネジ締結される締結ボルトと、前記足場板クランプと結束ピンとの間に介在される弾性部材と、前記下部ピン孔及び前記鋼管足場クランプの上端を貫通して連結ブラケットと鋼管足場クランプとを結合する結合ピンとで構成されることをさらに含む、足場用仮設足場板固定装置が提供される。
【００１２】
また、本発明の目的によって、足場の上部に安着される仮設足場板を固定させるための足場用仮設足場板固定装置であって、前記仮設足場板の上側の端に一部が安着されたまま前記仮設足場板をクランプする足場板クランプと、前記足場の水平端部をクランプするＣ型の足場クランプと、前記足場板クランプと足場クランプとを連結する連結部材とで構成され、前記連結部材は前記足場板クランプと足場クランプとの間に配置され、上部ピン孔及び下部ピン孔が形成された連結ブラケットと、前記上部ピン孔に嵌合され、貫通孔が形成された結束ピンと、前記足場板クランプを上部から貫通して前記結束ピンの貫通孔にネジ締結される締結ボルトと、前記足場板クランプと結束ピンとの間に介在される弾性部材と、前記下部ピン孔及び前記足場クランプの上端を貫通して連結ブラケットと足場クランプとを結合する結合ピンとで構成されていることをさらに含む、足場用仮設足場板固定装置が提供されることができる。
【００１３】
また、本発明の目的によって、足場の上部に安着される仮設足場を固定させるための足場用仮設足場板固定装置であって、前記仮設足場板の上側の端に一部が安着されたまま前記仮設足場板をクランプする足場板クランプと、前記足場の垂直端部をクランプする足場クランプと、前記足場板クランプと足場クランプとを連結する連結部材とで構成され、前記連結部材は前記足場板クランプと足場クランプとの間に配置され、上部ピン孔及び下部ピン孔が形成された連結ブラケットと、前記上部ピン孔に嵌合され、貫通孔が形成された結束ピンと、前記足場板クランプを上部から貫通して前記結束ピンの貫通孔にネジ締結される締結ボルトと、前記足場板クランプと結束ピンとの間に介在される弾性部材と、前記下部ピン孔及び前記足場クランプの上端を貫通して連結ブラケットと足場クランプとを結合する結合ピンとで構成され、前記足場クランプは、前記結合ピンにより前記連結ブラケットの下部に結合され、下端に前記足場の垂直端部が凹入される凹入溝の形成されたクランプハウジングと、前記クランプハウジングの内部の両側に配置され、前記結合ピンにより前記クランプハウジングに上部がピン結合されて結合ピンを中心として相互反対方向にリンク回転する一対のリンク節と、前記各リンク節の下端にピン結合されたまま前記リンク節のリンク回転によって前記クランプハウジングの凹入溝へ凹入される足場の垂直端部を両方で把持する一対のクランパーとで構成されることをさらに含む、足場用仮設足場板固定装置が提供されることができる。
【００１４】
好ましくは、前記弾性部材は前記足場板クランプと結束ピンとの間で締結ボルトが貫通するように設置される下部開口型のスプリングハウジングと、前記スプリングハウジングに挿入されるスプリングと、前記スプリングハウジングの下部で前記スプリングを弾力支持するように設置されるスプリング支持台とで構成されることができる。
【発明の効果】
【００１５】
前述した本発明における課題の解決手段によれば、仮設足場板を足場と交差する方向に安定的に固定、設置することができることはもちろん、隣接する仮設足場板間に相互安定的に連結されることができるという効果を奏する。
【００１６】
また、仮設足場板間の連結が画一化されることにより、設置及び解体が迅速かつ容易になされることはもちろん、既存のワイヤーによる結束に比べて相対的に結束程度が一律となることができるので、作業者の不注意などによる安全事故を減らすことができる効果がある。
【図面の簡単な説明】
【００１７】
【図１】本発明の第１実施例に係る足場用仮設足場板固定装置の分解状態を示す斜視図である。
【図２】図１の組立状態を示す斜視図である。
【図３】図２の断面図及びその設置状態を示す図である。
【図４】本発明の第２実施例に係る足場用仮設足場板固定装置の分解状態を示す斜視図である。
【図５】図４の組立状態を示す斜視図である。
【図６】図５の断面図及びその設置状態を示す図である。
【図７】本発明の第３実施例に係る足場用仮設足場板固定装置の分解状態を示す斜視図である。
【図８】図７の組立状態を示す斜視図である。
【図９】図８の断面図及びその設置状態を示す図である。
【発明を実施するための形態】
【００１８】
以下、添付の図面を参照して本発明の実施例を詳細に説明する。図面上の同一の構成要素に対しては同一の参照符号を用い、これらに対する重複説明は省略する。
【００１９】
本発明の実施例は、該技術分野において通常の知識を有する者にとって本発明をさらに完全に説明するために提供されるものであって、以下の実施例は様々な他の形態に変形可能であり、本発明の範囲が以下の実施例に限定されるものではない。むしろ、これらの実施例は、本開示をさらに充実かつ完全とし、該技術分野において通常の知識を有する者にとって本発明の思想を完全に伝えるために提供されるものである。
【００２０】
本明細書において、第１、第２などの用語が様々な部材、領域、層、部位及び／または構成要素を説明するために用いられるが、これらの部材、部品、領域、層、部位及び／または構成要素は、これらの用語によって限定されてはならないことは自明である。これらの用語は、特定の手順や上下、または優劣を意味せず、一つの部材、領域、部位、または構成要素を他の部材、領域、部位または構成要素と区別するためにのみ用いられる。したがって、以下、詳述する第１部材、領域、部位または構成要素は本発明の技術思想から逸脱されずに、第２部材、領域、部位または構成要素を指すことができる。例えば、本発明の権利範囲から逸脱されないまま第１構成要素は第２構成要素と命名されることができ、同様に第２構成要素も第１構成要素と命名されることができる。
【００２１】
特に断わらない限り、ここに用いられる全ての用語は、技術用語と科学用語を含めて本発明の概念が属する技術分野において通常の知識を有する者が共通に理解しているものと同じ意味を有する。また、通常に用いられる、辞書に定義されているような用語は関連する技術の観点から、これらが意味するところと一貫する意味を有するものと解釈されるべきであり、ここに明示的に定義しない限り、過度に形式的な意味として解釈されてはならないことを理解すべきである。
【００２２】
ある実施例が相異に具現可能な場合に、特定の工程順序は説明される順序と異なるように行われることもできる。例えば、連続して説明される二つの工程が実質的に同時に行われることもでき、説明される順序と反対の順序で行われることもできる。
【００２３】
添付の図面において、例えば、製造技術及び／または工差によって、図示された形状の変形が予想されることができる。したがって、本発明の実施例は本明細書に図示された領域の特定形状に制限されたものと解釈されてはならず、例えば、製造過程で齎される形状の変化を含めなければならない。
【００２４】
添付の図１は本発明の第１実施例に係る足場用仮設足場板固定装置の分解斜視図であり、図２は図１の組立斜視図であり、図３は図２の断面図及び設置状態図である。
【００２５】
これらの図面によれば、本発明の第１実施例に係る足場用仮設足場板固定装置は、足場１に安着される仮設足場板４を固定させるためのものであって、特に、鋼管足場１と仮設足場板４を結束するためのものである。
【００２６】
具体的に説明すれば、第１実施例の足場用仮設足場板固定装置は、前記仮設足場板４の上側の端に一部が安着されたまま前記仮設足場板４をクランプする足場板クランプ１１０と、前記鋼管足場１の外周を部分的に囲むようにクランプする円弧状の鋼管足場クランプ１２０と、前記足場板クランプ１１０と鋼管足場クランプ１２０とを連結する連結部材１３０とで構成される。
【００２７】
ここで、前記連結部材１３０は、前記足場板クランプ１１０と鋼管足場クランプ１２０との間に配置され、上部ピン孔１３１ａ及び下部ピン孔１３１ｂが形成された連結ブラケット１３１と、前記上部ピン孔１３１ａに嵌合され、貫通孔１３２ａが形成された結束ピン１３２と、前記足場板クランプ１１０を上部から貫通して前記結束ピン１３２の貫通孔１３２ａを貫通したまま下部にナットＮが締結仕上げられる締結ボルト１３３と、前記足場板クランプ１１０と結束ピン１３２との間に介在される弾性部材１３４と、前記下部ピン孔１３１ｂ及び前記鋼管足場クランプ１２０の上端を貫通して連結ブラケット１３１と鋼管足場クランプ１２０とを結合する結合ピン１３５とで構成されることができる。
【００２８】
一方、前記弾性部材１３４は、前記足場板クランプ１１０と結束ピン１３２との間で締結ボルト１３３が貫通するように設置される下部開口型のスプリングハウジング１３４ａと、前記スプリングハウジング１３４ａに挿入されるスプリング１３４ｂと、前記スプリングハウジング１３４ａの下部で前記スプリング１３４ｂを弾力支持するように設置されるスプリング支持台１３４ｃとで構成されることができる。
【００２９】
未説明の符号１１１は、前記足場板クランプ１１０の両端に形成されて、隣接する仮設足場板４の端部に密接して足場板クランプ１１０の遊動を防止する一方、隣接する仮設足場板４の間の間隔を一定に保持させるスペーサである。
【００３０】
添付の図４は、本発明の第２実施例に係る足場用仮設足場板固定装置の分解斜視図であり、図５は図４の組立斜視図であり、図６は図５の断面図及び設置状態図である。
【００３１】
これらの図面によれば、本発明の第２実施例に係る足場用仮設足場板固定装置は、足場２に安着される仮設足場板４を固定させるためのものであって、特に水平端部を有する足場と仮設足場板を結束するためのものである。
【００３２】
具体的に説明すれば、第２実施例の足場用仮設足場板固定装置は、前記仮設足場板４の上側の端に一部が安着されたまま前記仮設足場板４をクランプする足場クランプ２１０と、前記足場２の水平端部２ａをクランプするＣ型の足場クランプ２２０と、前記足場板クランプ２１０と足場クランプ２２０とを連結する連結部材２３０とで構成されることができる。
【００３３】
ここで、前記連結部材２３０は、前記足場板クランプ２１０と足場クランプ２２０との間に配置され、上部ピン孔２３１ａ及び下部ピン孔２３１ｂが形成された連結ブラケット２３１と、前記上部ピン孔２３１ａに嵌合され、貫通孔２３２ａが形成された結束ピン２３２と、前記足場クランプ２１０を上部から貫通して前記結束ピン２３２の貫通孔２３２ａを貫通したまま下部にナットＮが締結仕上げられる締結ボルト２３３と、前記足場板クランプ２１０と結束ピン２３２との間に介在される弾性部材２３４と、前記下部ピン孔２３１ｂ及び前記足場クランプ２２０の上端を貫通して連結ブラケット２３１と足場クランプ２２０とを結合する結合ピン２３５とで構成されることができる。
【００３４】
一方、前記弾性部材２３４は、前記足場板クランプ２１０と結束ピン２３２との間で締結ボルト２３３が貫通するように設置される下部開口型のスプリングハウジング２３４ａと、前記スプリングハウジング２３４ａに挿入されるスプリング２３４ｂと、前記スプリングハウジング２３４ａの下部で前記スプリング２３４ｂを弾力支持するように設置されるスプリング支持台２３４ｃとで構成されることができる。
【００３５】
未説明の符号２１１は、前記足場板クランプ２１０の両端に形成され、隣接する仮設足場板４の端部に密接して足場板クランプ２１０の遊動を防止する一方、隣接する仮設足場板４の間の間隔を一定に保持させるスペーサである。
【００３６】
図７は、本発明の第３実施例に係る足場用仮設足場板固定装置の分解斜視図であり、図８は図７の組立斜視図であり、図９は図８の断面図及び設置状態図である。
【００３７】
これらの図面によれば、本発明の第３実施例に係る足場用仮設足場板固定装置は、足場３に安着される仮設足場板４を固定させるためのものであって、特に垂直端部を有する足場と仮設足場板を結束するためのものである。
【００３８】
具体的に説明すれば、前記仮設足場板４の上側の端に一部が安着されたまま前記仮設足場板４をクランプする足場板クランプ３１０と、前記足場３の垂直端部３ａをクランプする足場クランプ３２０と、前記足場板クランプ３１０と足場クランプ３２０とを連結する連結部材３３０とで構成されることができる。
【００３９】
ここで、前記連結部材３３０は、前記足場板クランプ３１０と足場クランプ３２０との間に配置され、上部ピン孔３３１ａ及び下部ピン孔３３１ｂが形成された連結ブラケット３３１と、前記上部ピン孔３３１ａに嵌合され、貫通孔３３２ａが形成された結束ピン３３２と、前記足場板クランプ３１０を上部から貫通して前記結束ピン３３２の貫通孔３３２ａを貫通したまま下部にナットＮとして締結仕上げられる締結ボルト３３３と、前記足場板クランプ３１０と結束ピン３３２との間に介在される弾性部材３３４と、前記下部ピン孔３３１ｂ及び前記足場クランプ３２０の上端を貫通して連結ブラケット３３１と足場クランプ３２０とを結合する結合ピン３３５とで構成されることができる。
【００４０】
また、前記足場クランプ３２０は、前記結合ピン３３４により前記連結ブラケット３３１の下部に結合され、下端に前記足場３の垂直端部３ａが凹入される凹入溝３２１ａが形成されたクランプハウジング３２１と、前記クランプハウジング３２１の内部の両側に配置され、前記結合ピン３３５により前記クランプハウジング３２１に上部が結合されて結合ピン３３２を中心として相互反対方向にリンク回転する一対のリンク節３２３と、前記各リンク節３２３の下端にピン結合されたまま、前記リンク節３２３のリンク回転によって前記クランプハウジング３２１の凹入溝３２１ａへ凹入される足場３の垂直端部３ａを両方で把持する二対のクランパー３２４とで構成されることができる。
【００４１】
一方、前記弾性部材３３４は、前記足場板クランプ３１０と結束ピン３３２との間で締結ボルト３３３が貫通するように設置される下部開口型のスプリングハウジング３３４ａと、前記スプリングハウジング３３４ａに挿入されるスプリング３３４ｂと、前記スプリングハウジング３３４ａの下部で前記スプリング３３４ｂを弾力支持するように設置されるスプリング支持台３３４ｃとで構成されることができる。
【００４２】
未説明の符号３１１は、前記足場板クランプ３１０の両端に形成され、隣接する仮設足場板４の端部に密接して足場板クランプ３１０の遊動を防止する一方、隣接する仮設足場板４の間の間隔を一定に保持させるスペーサである。
【図１】
2019508606.tif 000003
【図２】
2019508606.tif 000004
【図３】
2019508606.tif 000005
【図４】
2019508606.tif 000006
【図５】
2019508606.tif 000007
【図６】
2019508606.tif 000008
【図７】
2019508606.tif 000009
【図８】
2019508606.tif 000010
【図９】
2019508606.tif 000011
【国際調査報告】
2019508606.tif 000012
2019508606.tif 000013
2019508606.tif 000014
2019508606.tif 000015